(57)【要約】【課題】上扉体が洗浄槽の前面開口部に対して堅牢でシールが安定した閉成が行える高品位な食器洗い機を提供する。【解決手段】洗浄槽２の前面の開口部５を開閉自在に覆う上・下扉体６、７がその内面側を略水平上向きにして重ね合わせるように洗浄槽２前下方へ連動して回動開放するよう構成し、且つ扉体閉成時には規制部材２５が上扉規制部２６の動作を規制することで上扉体６に外力を付与されても上扉体６が開放方向へ動作することはなく、また閉成位置近傍で上扉体６の閉塞動作がロックしても連動規制部２８の閉塞方向への動作に連動して規制部材２５が上扉規制部２６を上扉体６閉塞方向へ引き込み上扉体６を正規位置に閉成させることができるので、上扉体６が洗浄槽２の開口部５に対して堅牢でシールが安定した閉成が行える高品位な食器洗い機を実現できる。【選択図】図１
2010094251.tif 000002
【特許請求の範囲】
【請求項１】
本体と、前記本体内に設けた洗浄槽と、前記洗浄槽前面に設けた開口部と、前記開口部を開閉自在に覆う上扉体と下扉体と、前記上扉体と前記下扉体を支持し前記洗浄槽の側壁に回動自在に軸支された上扉支持部材と下扉支持部材と、前記上扉支持部材と前記下扉支持部材を連動する連動部材と、前記下扉体を前記開口部に前記開口部を閉成した状態に保持するロック手段とを備え、前記上扉体と下扉体が前記洗浄槽の前下方へその双方の内面側を上向きにして重ね合わせるように開放する構成とし、前記上扉体の閉成位置を規制する上扉閉成位置規制手段を設け、前記上扉閉成位置規制手段は、前記下扉体の開放動作に連動して、前記上扉体の閉成位置の規制を解除する方向に動作するよう構成した食器洗い機。
【請求項２】
上扉閉成位置規制手段は、上扉体に設けた上扉規制部と、連動部材に設けた連動規制部と、洗浄槽の側壁に回動自在に軸支された規制部材とで構成し、前記規制部材は、前記上扉体の所定開放位置から閉成にかけて、前記上扉規制部と当接することで前記上扉体が開放するのを妨げる第１の当接部と、前記上扉規制部と前記第１の当接部とを当接させる方向に該規制部材を回動させるよう前記連動規制部と当接する第２の当接部を有し、且つ前記上扉規制部と前記第１の当接部との当接を解除する方向に回動するよう弾性的に付勢された請求項１に記載の食器洗い機。
【請求項３】
規制部材を樹脂で形成し、且つ上扉規制部と第１の当接部との当接を解除する方向に回動するよう板ばねを一体で形成した請求項２に記載の食器洗い機。
【発明の詳細な説明】
【技術分野】
【０００１】
本発明は、食器等を洗浄する食器洗い機に関するもので、特に扉開閉機構に関するものである。
【背景技術】
【０００２】
従来のこの種の食器洗い機は、図９〜１２に示すように構成されている（例えば、特許文献１参照）。
【０００３】
以下、その構成について説明する。食器洗い機は、食器１０１等の被洗浄物を洗浄槽１０２に収納し、洗浄槽１０２に設けた前面開口部１０３を、上扉体１０４と下扉体１０５により閉塞してから、洗浄ポンプ１０６を運転し、洗浄ノズルから洗浄水を噴射することにより、被洗浄物の洗浄およびすすぎ工程を行うようになっている。
【０００４】
下扉体１０５は、下扉支持部材１０７により、前面開口部１０３の前下方に、その内面が上向き略水平となる位置まで回動開閉する構成となっており、下扉体１０５の内面に食器かご１０８を引き出せる構成となっている。一方、上扉体１０４は、第１の上扉支持部材１０９と第２の上扉支持部材１１０により、本体１１１の上方空間に開閉する構成となっている。また、下扉支持部材１０７と第１の上扉支持部材１０９は連動部１１２により連結されており、下扉体１０５を開閉してやれば上扉体１０４も連動して開閉するため、１回の開閉操作で前面開口部１０３を開閉できることから、使い勝手のよい食器洗い機を実現している。
【０００５】
さらに、第１の上扉支持部材１０９と連動部１１２の連結部は、第１の上扉支持部材１０９に設けた円筒連結軸１１３と連動部１１２に設けた長穴部１１４によりあそびを有するよう構成されており、上扉体１０４が閉成状態に達してから、さらに下扉体１０５のみ動作させて、下扉体１０５に設けたロック手段１１５を洗浄槽１０２側壁にロックさせることで、扉体の閉塞を実現している。その結果、上扉体１０４に取り付けた扉体間シール部材１１６を、下扉体１０５に設けた扉体間シール受け１１７によってシールすることが可能となり、水漏れを防止できる。
【０００６】
また、他の食器洗い機として、図１３、１４に示すようなものも提案されている（例えば、特許文献２参照）。
【０００７】
このものは、食器１２５等の被洗浄物を食器かご１２４にセットして洗浄槽１２２に収納し、洗浄槽１２２に設けた前面開口部１２３を、上扉体１１８と下扉体１１９により閉塞してから、洗浄ポンプを運転し、洗浄ノズルから洗浄水を噴射することにより、被洗浄物の洗浄およびすすぎ工程を行うようになっている。
【０００８】
上扉体１１８と下扉体１１９が上扉支持部材１２０と下扉支持部材１２１によって、それぞれ洗浄槽１２２の前面開口部１２３の前下方に、その内面が上向き略水平となる位置まで回動開閉する構成となっており、上扉体１１８と下扉体１１９が重ね合わさるように開成する。食器かご１２４は上扉体１１８の内面に引き出す構成となっている。この食器洗い機は、上扉体が上方に開放するものと比べて、本体上方に扉体の開放空間を必要としないので設置性がよく、また本体上面を物置スペースとして活用できるので使い勝手がよい。さらに、前面開口部１２３上部に上扉体１１８が被さってこないので、食器１２５等の被洗浄物の出し入れ等にも支障がなく使い勝手がよい。
【０００９】
また、上扉支持部材１２０と下扉支持部材１２１は連動部１２６により連結されており、下扉体１１９を開閉してやれば上扉体１１８も連動して開閉するため、１回の開閉操作で前面開口部１２３を開閉できることから、使い勝手のよい食器洗いを実現している。
【００１０】
さらに、上扉支持部材１２０と連動部１２６の連結部は、上扉支持部材１２０に設けた円筒連結軸１２７と連動部１２６に設けた長穴部１２８によりあそびを有するよう構成されており、上扉体１１８が閉成状態に達してから、さらに下扉体１１９のみ動作させて、下扉体１１９に設けたロック手段１２９を洗浄槽１２２の側壁にロックさせることで、扉体の閉塞を実現している。その結果、上扉体１１８に取り付けた扉体間シール部材１３０を、下扉体１１９に設けた扉体間シール受け１３１によってシールすることが可能となり、水漏れを防止できる。
【特許文献１】特開２００２−２１９０８３号公報
【特許文献２】特開２００２−１０９６１号公報
【発明の開示】
【発明が解決しようとする課題】
【００１１】
しかしながら、上記の上扉体１１８と下扉体１１９が前面開口部１２３の前下方に重ね合わさるよう開閉する構成は、設置性、使い勝手ともに非常に優れているが、上扉体１１８の回動中心１３２から上扉体１１８の上辺迄の距離Ｌが長いため、運転中に使用者が誤って上扉体１１８の上辺に外力Ｆを加えてしまった時、比較的容易に上扉体１１８の上辺が開放方向に移動してしまい、高温の洗浄水が機外へ噴出してしまうという課題を有している。
【００１２】
また、食器１２５等の被洗浄物が食器かご１２４から飛び出してセットされた状態で扉体の閉塞を行った場合に、上扉体１１８と食器１２５が当接して、正規閉成位置より浮き上がった不完全閉成の状態で上扉体１１８の閉塞動作が停止しても、関節のクリアランス分下扉体１１９は動作できるので下扉体１１９の閉塞が可能であり、上扉体１１８のシールが不完全な状態で運転されるという課題を有している。
【００１３】
さらには、距離Ｌが長いと回動中心１３２や長穴部１２８に設けたクリアランスが増幅されて上扉体１１８の上辺の大きなガタツキとなってしまうため、前面開口部１２３上辺に設けたシール部材１３３と上扉体１１８のシールが不安定であるという課題を有している。
【００１４】
本発明は、上記従来の課題を解決するもので、上扉体が洗浄槽の前面開口部に対して堅牢でシールが安定した閉成が行える高品位な食器洗い機を提供することを目的とする。
【課題を解決するための手段】
【００１５】
前記従来の課題を解決するために、本発明の食器洗い機は、本体と、前記本体内に設けた洗浄槽と、前記洗浄槽前面に設けた開口部と、前記開口部を開閉自在に覆う上扉体と下扉体と、前記上扉体と前記下扉体を支持し前記洗浄槽の側壁に回動自在に軸支された上扉支持部材と下扉支持部材と、前記上扉支持部材と前記下扉支持部材を連動する連動部材と、前記下扉体を前記開口部に前記開口部を閉成した状態に保持するロック手段とを備え、前記上扉体と下扉体が前記洗浄槽の前下方へその双方の内面側を上向きにして重ね合わせるように開放する構成とし、前記上扉体の閉成位置を規制する上扉閉成位置規制手段を設け、前記上扉閉成位置規制手段は、前記下扉体の開放動作に連動して、前記上扉体の閉成位置の規制を解除する方向に動作するよう構成したものであり、上扉体の閉成位置を下扉体の閉塞動作と連動させて確実に規制することができるので、扉体が閉成した状態で上扉体に外力を加えられても、上扉体が開放方向に移動してしまうことはなく、安全で確実なシールを実現できる。また、下扉体を開放した時、上扉閉成位置規制手段による上扉体の
閉成位置の規制が確実に解除されるので、上下扉体の連動動作が確実に実現できる。
【発明の効果】
【００１６】
以上のように本発明によれば、上扉体が洗浄槽の前面開口部に対して堅牢でシールが安定した閉成が行える高品位な食器洗い機を提供することができる。
【発明を実施するための最良の形態】
【００１７】
第１の発明は、本体と、前記本体内に設けた洗浄槽と、前記洗浄槽前面に設けた開口部と、前記開口部を開閉自在に覆う上扉体と下扉体と、前記上扉体と前記下扉体を支持し前記洗浄槽の側壁に回動自在に軸支された上扉支持部材と下扉支持部材と、前記上扉支持部材と前記下扉支持部材を連動する連動部材と、前記下扉体を前記開口部に前記開口部を閉成した状態に保持するロック手段とを備え、前記上扉体と下扉体が前記洗浄槽の前下方へその双方の内面側を上向きにして重ね合わせるように開放する構成とし、前記上扉体の閉成位置を規制する上扉閉成位置規制手段を設け、前記上扉閉成位置規制手段は、前記下扉体の開放動作に連動して、前記上扉体の閉成位置の規制を解除する方向に動作するよう構成したもので、上扉体の閉成位置を下扉体の閉塞動作と連動させて確実に規制することができるので、扉体が閉成した状態で上扉体に外力を加えられても、上扉体が開放方向に移動してしまうことはなく、安全で確実なシールを実現できる。また、下扉体を開放した時、上扉閉成位置規制手段による上扉体の閉成位置の規制が確実に解除されるので、上下扉体の連動動作が確実に実現できる。
【００１８】
第２の発明は、特に、第１の発明において、上扉閉成位置規制手段は、上扉体に設けた上扉規制部と、連動部材に設けた連動規制部と、洗浄槽の側壁に回動自在に軸支された規制部材とで構成し、前記規制部材は、前記上扉体の所定開放位置から閉成にかけて、前記上扉規制部と当接することで前記上扉体が開放するのを妨げる第１の当接部と、前記上扉規制部と前記第１の当接部とを当接させる方向に該規制部材を回動させるよう前記連動規制部と当接する第２の当接部を有し、且つ前記上扉規制部と前記第１の当接部との当接を解除する方向に回動するよう弾性的に付勢されたもので、扉体閉塞時に食器等と上扉体が当接したりシール部材の反発力により上扉体が正規閉成位置に到達する前に動作が一旦停止しても、連動規制部によって回動する規制部材によって上扉規制部が扉体閉塞方向に引き込まれるため上扉体は閉塞方向に再び動作を開始し、下扉体を前面開口部にロックした時には、上扉体も正規位置に閉成するので、安全で確実なシールを実現できる。また、規制部材は上扉規制部と第１の当接部との当接を解除する方向に回動するよう弾性的に付勢されており、連動規制部と第２の当接部が確実に当接しながら回動するので、上下扉体の連動開放動作と規制部材の上扉体閉成位置規制動作が確実に連動するので安定した扉体開閉動作を実現できる。
【００１９】
第３の発明は、特に、第２の発明において、規制部材を樹脂で形成し、且つ上扉規制部と第１の当接部との当接を解除する方向に回動するよう板ばねを一体で形成したもので、安定した扉体開閉動作を小スペースで安価に実現できる。
【００２０】
（実施の形態１）
図１は本発明の第１の実施の形態における食器洗い機の扉体閉成時の側壁部断面図、図２は同食器洗い機の扉体開成時の側壁部断面図、図３は同食器洗い機の扉体開放初期の側壁部断面図、図４は同食器洗い機の扉体開放途中の側壁部断面図、図５は同食器洗い機の扉体開成時の斜視図、図６は同食器洗い機の上扉閉成位置規制手段の動作説明図、図７は同食器洗い機の第２の連結点の動作説明図、図８は同食器洗い機の上扉閉塞引き込み手段の動作説明図である。
【００２１】
食器洗い機の本体１内部には洗浄槽２が設けられており、洗浄槽２の内部には、食器３
などの被洗浄物をセットする食器かご４が収納されている。洗浄槽２の前面には開口部５が設けられており、上部、下部の夫々を上扉体６と下扉体７により開閉するよう構成されている。開口部５の周囲には、シール部材８が取付けられており、上扉体６に設けた上扉体シール受け６ａと、下扉体７に設けた下扉体シール受け７ａとによって、開口部５のシールを構成している。上扉体６には扉体間シール部材９が取付けられており、下扉体７に設けた扉体間シール受け７ｂとによって、上下扉体間のシールを構成している。
【００２２】
上扉体６は、洗浄槽２側壁に設けた第１の支持軸１０により回動自在に軸支された上扉支持部材１１に固定されている。洗浄槽２の側壁には、上扉支持部材１１と当接する第１のストッパー部１２が設けられており、上扉体６が、第１のストッパー部１２に当接して開口部５の前下方にその内面が上向き略水平となる位置まで開成するよう構成されている。
【００２３】
下扉体７は、洗浄槽２側壁の開口部５下端部近傍で第２の支持軸１３により回動自在に軸支された下扉支持部材１４に固定されている。洗浄槽２の側壁には、下扉支持部材１４と当接する第２のストッパー部１５が設けられており、下扉体７が、第２のストッパー部１５に当接して開口部５の前下方にその内面が上向き略水平となる位置まで開成するよう構成されている。なお、下扉体７の開成位置は上扉体６の開成位置の下方に位置するよう構成されている。
【００２４】
下扉体７には押しボタンスイッチ１６と、洗浄槽２側壁に設けた係止部１７に係止して、下扉体７を開口部５を閉成した状態で固定するロック手段１８が設けられており、押しボタンスイッチ１６と連動して、係止部１７からロック手段１８を解除できるようにしている。
【００２５】
また、一端が第１の連結点１９で下扉支持部材１４と回動自在に連結され、中間部が第２の連結点２０で上扉支持部材１１と回動自在に連結された連動部材２１により、上扉体６と下扉体７は連動して開口部５の前下方に重ね合わせるように開閉する構成となっている。また、第２の連結点２０は、連動部材２１に設けた円筒連結軸２０ａと、上扉支持部材１１に設けた長穴部２０ｂにより構成されており、閉成状態の上扉体６に対して、下扉体７が開放する方向にあそびを有している。
【００２６】
連動部材２１にはガイド穴部２２が、上扉支持部材１１にはガイド突起部２３が設けられており、扉体の閉成状態から開成状態にかけて係合するよう構成されている。また、ガイド穴部２２は、上扉体６が閉成状態では、第２の連結点２０があそびを有するようガイド突起部２３の所定動作領域を有し、開放途中から開成状態にかけては、第２の連結点２０のあそびを無くするよう、ガイド突起部２３の動作を規制する形状となっている。すなわち、ガイド穴部２２の形状は、扉体の閉成状態から開成状態に対応する円筒連結軸２０ａを中心とする扇形に形成し、扉体の閉成状態でガイド突起部２３が係合する側の端部を円筒連結軸２０ａから遠ざかる方向へ長穴状に形成している。
【００２７】
そして、この長穴状に形成した端部と上扉支持部材１１に設けた長穴部２０ｂとは、扉体が閉成あるいは閉成に近い状態において、長穴の方向がほぼ一致するように構成してある。また、ガイド穴部２２の扇形に形成した部分の幅寸法は、係合するガイド突起部２３が余分な隙間なく係合してスムーズに動き得る幅寸法としてある。
【００２８】
洗浄槽２側壁に設けた第３の支持軸２４により回動自在に軸支された規制部材２５は、扉体閉成時に上扉体６の開放方向への動作を規制するように上扉体６に設けた上扉規制部２６と当接する第１の当接部２７と、下扉体が所定開放位置から閉成するまでの間、上扉規制部２６と第１の当接部２７を当接させる方向へ規制部材２５を回動させるように、連
動部材２１の第１の連結点１９側の端部とは反対側の端部に設けた連動規制部２８と当接する第２の当接部２９とを有しており、自重で上扉規制部２６との当接が解除される方向に回動するような形状となっている。
【００２９】
また、洗浄槽２側壁には第３のストッパー部３０が設けられており、扉体が所定開放位置より開放側へ位置した時に連動規制部２８と第２の当接部２９との当接が解除されるよう規制部材２５の回動を止めて規制する働きをしている。さらに規制部材２５には一体で形成された板ばね２５ａが設けられており、洗浄槽２の側壁に設けられた第４のストッパー部２ａと当接して撓むことで、規制部材２５が上扉規制部２６との当接を解除する方向に回動するよう付勢している。
【００３０】
洗浄槽２側壁には第１のガイドピン３１と第２のガイドピン３２が設けられており、上扉引き込み部材３３に形成された第１のガイドレール３４（逆Ｌ字形状）と、第２のガイドレール３５（ストレート形状）がそれぞれ摺動自在に係合している。また、上扉引き込み部材３３には、扉体閉成状態から扉体が所定量開放するまで、上扉支持部材１１に設けた上扉引き込みピン３６と当接する上扉引き込み突起部３７と、扉体開成状態から扉体を所定量閉塞した時に、上扉引き込みピン３６と当接する上扉引き込みトリガー部３８が形成されている。
【００３１】
また、上扉引き込み部材３３に設けた第１の保持部３９と洗浄槽２側壁に設けた第２の保持部４０を第１のスプリング４１（引張りコイルバネ）で連結することで、扉体閉成状態から扉体が所定量開放し上扉引き込みピン３６と上扉引き込み突起部３７の当接が解除されるまで、上扉引き込み部材３３が上扉支持部材１１を上扉体６が閉塞する方向に付勢するよう構成している。
【００３２】
上扉支持部材１１に設けた第３の保持部４２と、洗浄槽２側壁に設けた第４の保持部４３を第２のスプリング４４（引張りコイルバネ）で連結し、上扉体６を閉塞方向に弾性的に付勢するよう構成している。
【００３３】
さらに、連動部材２１に設けた第５の保持部４５と洗浄槽２側壁に設けた第６の保持部４６を第３のスプリング４７（引張りコイルバネ）で連結し、閉成状態から開放途中（閉成状態から下扉体７が４５°程度回動）では、上・下扉体６、７が開放する方向に連動部材２１を弾性的に付勢し、開放途中から開成状態にかけては、上・下扉体６、７が閉塞する方向に連動部材２１を弾性的に付勢するよう構成している。
【００３４】
なお、上記の上下扉体開閉機構は洗浄槽２の左右側壁に一対設けてあり、上扉体６および下扉体７により左右が連結され、左右同期して動作する。
【００３５】
以上のように構成された食器洗い機についてその動作、作用を説明する。押しボタンスイッチ１６を押すことで、係止部１７から、ロック手段１８が解除され、第３のスプリング４７によって付勢された連動部材２１が扉体開放方向に動作する。連動部材２１が動作することにより、規制部材２５は第２の当接部２９で連動部材２１の連動規制部２８と当接しながら回動する。第２のスプリング４４の上扉支持部材１１への付勢力と、上扉引き込み部材３３の上扉支持部材１１への上扉引き込み力により、開放初期は下扉体７のみが開放し上扉体６は閉成位置に留まっているので、規制部材２５の回動動作によって、第１の当接部２７と上扉規制部２６の当接は解除され、上扉体６の閉成位置規制が解除される（図１の状態から図３の状態へと移行する）。
【００３６】
このとき、板ばね２５ａの付勢力が規制部材２５に働いているため、例えば第３の支持軸２４への異物の噛み込み等があっても、規制部材２５を回動させることができ、確実に
上扉体６の閉成位置規制を解除することが可能となっている。
【００３７】
本実施の形態では、第２のスプリング４４と、上扉引き込み部材３３の２つの機構で開放初期に上扉体６を閉成位置に留まらせるよう構成しているが、上扉体６の重量や第２のスプリング４４や上扉引き込み部材３３を組み込む空間の制約条件によっては、どちらか一方の機構だけで上扉体６を閉成位置に留まらせる構成を実現することも可能である。
【００３８】
円筒連結軸２０ａが長穴部２０ｂのあそび領域を動作しきると、円筒連結軸２０ａが長穴部２０ｂの上端部に当接して円筒連結軸２０ａと長穴部２０ｂとが連結され、上扉体６と下扉体７は連動して動作する。
【００３９】
扉体の開放に合わせて上扉引き込み部材３３は上扉支持部材１１に設けた上扉引き込みピン３６に押され、第１のスプリング４１の引張力に抗して第１および第２のガイドレール３４、３５に沿って上方に移動し、扉体が所定量開放すると第２のガイドレール３５の第２のガイド端点３５ａと第２のガイドピン３２が当接する（図８（ａ）の状態から図８（ｂ）の状態へと移行する。図８（ｂ）の状態では、扉体の開放状態は図４に示す状態となる）。
【００４０】
さらに扉体を開放すると、第２のガイドレール３５の第２のガイド端点３５ａと第２のガイドピン３２が当接した状態で上扉支持部材１１に設けた上扉引き込みピン３６が上扉引き込み部材３３の上扉引き込み突起部３７を押すことになり、上扉引き込み部材３３は第２のガイドピン３２を支点にして第１のガイドレール３４の第１のガイド端点３４ａと第１のガイドピン３１が当接するまで回動する（図８（ｂ）の状態から図８（ｃ）の状態へと移行する）。上扉引き込み部材３３が回動することにより、上扉引き込みピン３６と上扉引き込み突起部３７の当接が解除され、上扉引き込み部材３３による扉体の閉塞方向への付勢がなくなる。
【００４１】
上扉引き込み部材３３は、第１のスプリング４１により下方に付勢されているが、第１のガイドピン３１が第１のガイド端点３４ａに当接した状態では第１のガイドピン３１が第１のガイドレール３４の上面に突張っているので下方へ動作せず、図２および図８（ｃ）に示すように上方位置に留まる。
【００４２】
以上のように、本発明の構成によれば、上扉引き込み部材３３は、上扉体６がシール部材８から反発力を受け、上扉体６を正規位置に閉成させるのに大きな閉塞力が必要な扉体閉成近傍から閉成にかけてのみ扉体閉塞力を作用させることができるので、第２のスプリング４４のように常に閉成方向への付勢力が働くような構成と比べて効果的に上扉体６を正規閉成位置まで閉塞させることできる。仮に第２のスプリング４４のみにより扉体閉成近傍で所定の扉体閉塞方向への付勢力を働かせようとすると、扉体開放途中から開成にかけて第２のスプリング４４による扉体閉塞方向への付勢力が大きくなりすぎて、扉体を開成するのに非常に大きな開放力が必要になってしまう。
【００４３】
また、上扉体６と下扉体７は上扉支持部材１１と下扉支持部材１４がそれぞれ第１のストッパー部１２と第２のストッパー部１５に当接する開成状態まで開放する。この時、上扉体６と下扉体７は、その双方の内面を上向き略水平にして重ね合わさるように開成している（上扉体６が上方に位置する）。上・下扉体６、７の開成後、上扉体６の内面上に食器かご４を引出し、被洗浄物をセットする。食器かご４を上扉体６内面上に引き出す構成をとっているので、食器３等の被洗浄物から垂れた汁、水滴が機外へ流出するのを防止することができる。また、従来の食器洗い機のように、開口部５の上部に上扉体６が被さってこないので、食器３等のセット作業がしやすく、本体１上面を物置スペースとして活用できるので非常に使い勝手がよい。さらには本体１上方に上扉体６の開放空間を必要とし
ないので、製品設置性もよい。
【００４４】
続いて、食器かご４を洗浄槽２内に収納し、下扉体７を閉塞する。上扉体６と下扉体７は連動して開閉する構成となっているので、上扉体６も同時に閉塞される。第２のスプリング４４による上支持部材１１への扉体閉塞方向への付勢力と、第３のスプリング４７による連動部材２１への扉体閉塞方向への付勢力により、下扉体７を閉塞する起動力が小さくて良く、操作感が良い。
【００４５】
また、扉体の閉塞途中において、第２の連結点２０のあそびによる上扉体６のがたつきをガイド穴部２２とガイド突起部２３とにより規制しているので、下扉体７に対する上扉体６の位置がぐらつかず安定している（図７（ａ）〜（ｃ）参照）。その結果、閉塞動作において、上扉体６外面に下扉体７の内面（防水リブ等）が接触して上扉体６の外観を汚したり傷付けてしまったりすることがない。また、上扉体６を下扉体７に先行して閉成位置に到達させるという所定動作を確実に実現できるため、上扉体６に取り付けた扉体間シール部材９を下扉体７に設けた扉体間シール受け７ｂによって確実にシールすることができる。
【００４６】
さらに、扉体を所定位置まで閉塞すると、上扉引き込みピン３６が上扉引き込みトリガー部３８と当接し、さらに扉体を閉塞すると、上扉引き込みピン３６から加えられる力で、上扉引き込み部材３３は、第２のガイドピン３２を支点にして第１のガイドピン３１が第１のガイドレール３４の第１のガイド端点３４ａから離れ第３のガイド端点３４ｂと当接するまで回動する。その結果、ガイドピン３１の第１のガイドレール３４の上面へ突っ張りもなくなり、第１のスプリング４１の付勢力によって上扉引き込み部材３３は第１および第２のガイドレール３４、３５にガイドされて下方に移動可能となるので、上扉引き込みピン３６を閉塞方向に引き込むことができる（図８（ｄ）参照）。したがって、これ以降の扉体閉塞過程においては、上扉引き込み部材３３を下方に引っ張る第１のスプリング４１の引張力も扉体閉塞方向に作用し、上扉体６を正規位置に閉成させる一助とすることができ、好都合である。
【００４７】
扉体を閉塞していくと、所定閉塞位置で連動部材２１の連動規制部２８が規制部材２５の第２の当接部２９に当接し、さらに閉塞していくと規制部材２５は第１の当接部２７が上扉規制部２６に近づいていく方向に回動を始める。引き続き扉体を閉塞していくと上扉体６が先行して閉成し、その後下扉体７閉成時には、第１の当接部２７が上扉規制部２６に当接し、上扉体６の閉成位置が規制される。
【００４８】
扉体閉成位置近傍では、シール部材８からの反発力や、食器３等の食器かご４からのはみ出しセットにより、上扉体６は開放方向への力を受ける。第２のスプリング４４の扉体閉塞方向への付勢力や、上扉引き込み部材３３の上扉引き込み力が不十分な場合、上扉体６は正規位置まで閉成しないで閉塞動作が停止してしまう。しかし、そのような場合、上扉体６が正規閉成位置より前方に位置するので、下扉体７が閉成する前に第１の当接部２７が上扉規制部２６と当接し、その後の下扉体７の閉塞動作に連動して、規制部材２５が上扉規制部２６を扉体閉塞方向に引き込むので、下扉体７が閉成した時には、上扉体６を正規位置に閉成することができ、安全で確実なシールを実現できる（図６（ａ）〜（ｃ）参照）。
【００４９】
また、洗浄槽２前面の上扉規制部２６が通過する上扉規制部通過穴部２ｂからユーザーが誤って規制部材２５を押し込んでしまったり、メンテナンス等で製品を寝かした状態で扉を開放してしまっても、板ばね２５ａの付勢力により、規制部材２５は図６（ｄ）に示す正規位置に戻るので、図６（ｅ）のような規制部材２５と上扉規制部２６の位置関係の逆転現象が起こることはなく、安定した扉体開閉動作を実現できる。
【００５０】
また、閉成した上扉体６に外力を加えられても、規制部材２５が上扉規制部２６の開放方向への動作を規制しているので、開放方向に移動してしまうことはなく、高温の洗浄水が機外へ噴出してしまうようなことはいので、安全性の高い食器洗い機を実現できる。
【産業上の利用可能性】
【００５１】
以上のように、本発明にかかる食器洗い機は、上扉体の閉塞引き込みや閉成位置規制をできるので、扉体閉塞時の上扉体不正規閉成や扉体閉成後の上扉体への外力の付与があっても、上扉体が開放方向に移動することはなく、安全で確実なシールを実現できるものであり、食器洗い機に限らず複数の扉体を使用する洗濯機、洗浄機など各種機器に適用できる。
【図面の簡単な説明】
【００５２】
【図１】本発明の第１の実施の形態における食器洗い機の扉体閉成時の側壁部断面図
【図２】同食器洗い機の扉体開成時の側壁部断面図
【図３】同食器洗い機の扉体開放初期の側壁部断面図
【図４】同食器洗い機の扉体開放途中の側壁部断面図
【図５】同食器洗い機の扉体開成時の斜視図
【図６】（ａ）同食器洗い機の扉体開放初期の上扉閉成位置規制手段の動作説明図（ｂ）同食器洗い機の上扉体不正規閉成時の上扉閉成位置規制手段の動作説明図（ｃ）同食器洗い機の扉体閉成時の上扉閉成位置規制手段の動作説明図（ｄ）同食器洗い機の扉体開成時の上扉閉成位置規制手段の動作説明図（ｅ）同食器洗い機の扉体閉成時の上扉閉成位置規制手段の不正規閉成の動作説明図
【図７】（ａ）同食器洗い機の扉体閉成時の第２の連結点の動作説明図（ｂ）同食器洗い機の扉体開放初期の第２の連結点の動作説明図（ｃ）同食器洗い機の扉体開放途中の第２の連結点の動作説明図
【図８】（ａ）同食器洗い機の扉体閉成時の上扉閉塞引き込み手段の動作説明図（ｂ）同食器洗い機の扉体開放途中の上扉閉塞引き込み手段の動作説明図（ｃ）同食器洗い機の扉体開成時の上扉閉塞引き込み手段の動作説明図（ｄ）同食器洗い機の扉体閉塞途中の上扉閉塞引き込み手段の動作説明図
【図９】従来の食器洗い機の側断面図
【図１０】同食器洗い機の扉体閉成時の側断面図
【図１１】同食器洗い機の扉体開放初期の側壁部断面図
【図１２】同食器洗い機の扉体開成時の側壁部断面図
【図１３】従来の他の例の食器洗い機の扉体閉成時の側壁部断面図
【図１４】従来の他の例の食器洗い機の扉体開成時の側断面図
【符号の説明】
【００５３】
１  本体
２  洗浄槽
２ａ  第４のストッパー部
５  開口部
６  上扉体
７  下扉体
１１  上扉支持部材
１４  下扉支持部材
１７  係止部
１８  ロック手段
２１  連動部材
２５  規制部材（上扉閉成位置規制手段）
２５ａ  板ばね
２６  上扉規制部（上扉閉成位置規制手段）
２８  連動規制部（上扉閉成位置規制手段）
【図１】
2010094251.tif 000003
【図２】
2010094251.tif 000004
【図３】
2010094251.tif 000005
【図４】
2010094251.tif 000006
【図５】
2010094251.tif 000007
【図６】
2010094251.tif 000008
【図７】
2010094251.tif 000009
【図８】
2010094251.tif 000010
【図９】
2010094251.tif 000011
【図１０】
2010094251.tif 000012
【図１１】
2010094251.tif 000013
【図１２】
2010094251.tif 000014
【図１３】
2010094251.tif 000015
【図１４】
2010094251.tif 000016